(57)【要約】【課題】  データを記録する領域を制限することなく、かつ光情報記録媒体を反転させることなくレーベル面側から視認可能な描画を行うことが可能な光情報記録媒体を提供する。【解決手段】  第１の透光性基板１１の一方の面上に記録層１２と第１の半透過反射層１３とを有し、基板の他方の面側から記録層にレーザ光を照射することにより情報を記録可能な光情報記録媒体２０であって、第１の透光性基板の記録層と第１の半透過反射層とを有する側の面に貼り合わされた第２の透光性基板１４と、第２の透光性基板上に形成された第２の半透過反射層１５と、第２の半透過反射層上に形成されレーザ光を吸収して色素を放出する層１７と、この上に形成され放出された色素を吸収する多数の空隙を備えた層１８と、を有する。このため、データを記録する領域を制限することなく、かつ光情報記録媒体を反転させることなくレーベル面側から視認可能な描画を行うことができる。【選択図】図１
2008041233.tif 000002
【特許請求の範囲】
【請求項１】
第１の透光性基板の一方の面上に記録層と第１の半透過反射層とを有し、前記基板の他方の面側から前記記録層にレーザ光を照射することにより情報を記録可能な光情報記録媒体において、
前記第１の透光性基板の前記記録層と前記第１の半透過反射層とを有する側の面に貼り合わされた第２の透光性基板と、該第２の透光性基板上に形成された第２の半透過反射層と、該第２の半透過反射層上に形成されレーザ光を吸収して色素を放出する層と、該色素を放出する層上に形成され放出された色素を吸収する多数の空隙を備えた層と、を有することを特徴とする光情報記録媒体。
【請求項２】
前記多数の空隙を備えた層の上に透明の保護層が配設されていることを特徴とする請求項１に記載の光情報記録媒体。
【請求項３】
前記第２の透光性基板の前記第２の半透過反射層が形成される側の面にトラッキング用の螺旋状溝が形成されていることを特徴とする請求項１に記載の光情報記録媒体。
【請求項４】
第１の透光性基板の一方の面上に該基板側から順に記録層と第１の半透過反射層とが形成され、さらに前記第１の透光性基板の前記記録層と前記第１の半透過反射層とを有する側の面に貼り合わされた第２の透光性基板を介して第２の半透過反射層とレーザ光を吸収して色素を放出する層と放出された色素を吸収する多数の空隙を備えた層とが形成された光情報記録媒体に表示を施す方法であって、
データ記録時にレーザ光が照射される側と同じ側から前記第２の半透過反射層を介して前記色素を放出する層にレーザ光を照射することを特徴とする光情報記録媒体の表示方法。
【請求項５】
前記記録層へのレーザ光照射と前記色素を放出する層へのレーザ光照射とを同時に行うことを特徴とする請求項４に記載の光情報記録媒体の表示方法。
【発明の詳細な説明】
【技術分野】
【０００１】  本発明は、ディスク状の光情報記録媒体に関し、レーベル面側から視認可能な描画をレーザ光照射によって形成することができる光情報記録媒体、および光情報記録媒体への表示方法に関する。
【背景技術】
【０００２】  ＣＤ−Ｒ、ＤＶＤ±Ｒ、ブルーレイディスク等のディスク状の光情報記録媒体においては、透光性基板の一方の面上に記録層及び反射層を形成した構造を有し、前記基板の他方の面側からレーザ光が照射されて前記記録層にデータ記録されるように構成されている。また、前記光情報記録媒体のレーザ光が照射される面と反対側の面は、通常レーベル面として利用されており、その表面に文字、記号、図形、模様またはこれらの組合せ等が印刷等により表示される。【０００３】  このような光情報記録媒体として、前記表示をレーザ光照射により行うものが各種提案されている。
例えば特許文献１には、レーベル面１２５側にレーザ光照射によって描画が可能な領域（層）を形成したものが提案されている。具体的には図３に示されるように、透明な第１の基板１０３の一方の面に誘電体層１０５、記録層１０７、誘電層１０９、反射層１１１を順次成膜し、さらに反射層１１１の上に貼り合わせ接着層１１３によって第２の基板１１５を貼り合わせ、第２の基板１１５の表面には第２の反射層１１７、中間層１１９、可視光特性変化層１２１、保護層１２３が順次積層されている。上記記録層１０７へのデータの記録は第１の基板１０３の他方の面側からレーザ光を記録層１０７に照射することにより行われ、レーベル面１２５側の画像形成は、レーベル面１２５側からレーザ光を可視光特性変化層１２１に照射することにより行われる。
また特許文献２には、データを記録する領域の一部を文字や画像を描画する領域に割り当てるものが提案されている。【０００４】
【特許文献１】特開２００２−２０３３２１号公報
【特許文献２】特開２００３−０５１１１８号公報
【発明の開示】
【発明が解決しようとする課題】
【０００５】  しかしながら、上記前者の背景技術においては、描画領域がデータ記録面とは反対側になるので、描画するときには光情報記録媒体を裏返しする必要があった。また、後者の背景技術においては、データ記録領域の一部を描画に用いるため、データ記録と描画が干渉しないようにする必要があり、データ記録領域及び描画領域が制限されるという課題があった。【０００６】  本発明の目的は、上記課題を解決して、データを記録する領域を制限することなく、かつ光情報記録媒体を反転させることなくレーベル面側から視認可能な描画を行うことが可能な光情報記録媒体を提案するものである。
【課題を解決するための手段】
【０００７】  前記目的を達成するため、本発明の光情報記録媒体は、
（１）第１の透光性基板の一方の面上に記録層と第１の半透過反射層とを有し、前記基板の他方の面側から前記記録層にレーザ光を照射することにより情報を記録可能な光情報記録媒体において、
前記第１の透光性基板の前記記録層と前記第１の半透過反射層とを有する側の面に貼り合わされた第２の透光性基板と、該第２の透光性基板上に形成された第２の半透過反射層と、該第２の半透過反射層上に形成されレーザ光を吸収して色素を放出する層と、該色素を放出する層上に形成され放出された色素を吸収する多数の空隙を備えた層と、を有するものである。（・・・以下、本発明の第１の課題解決手段と称する。）【０００８】  また、上記光情報記録媒体の主要な形態の一つは、
（２）前記多数の空隙を備えた層の上に透明の保護層が配設されているものである。（・・・以下、本発明の第２の課題解決手段と称する。）【０００９】  また、上記光情報記録媒体の他の主要な形態の一つは、
（３）前記第２の透光性基板の前記第２の半透過反射層が形成される側の面にトラッキング用の螺旋状溝が形成されているものである。（・・・以下、本発明の第３の課題解決手段と称する。）【００１０】  また、本発明の光情報記録媒体の表示方法は、
（４）第１の透光性基板の一方の面上に該基板側から順に記録層と第１の半透過反射層とが形成され、さらに前記第１の透光性基板の前記記録層と前記第１の半透過反射層とを有する側の面に貼り合わされた第２の透光性基板を介して第２の半透過反射層とレーザ光を吸収して色素を放出する層と放出された色素を吸収する多数の空隙を備えた層とが形成された光情報記録媒体に表示を施す方法であって、
データ記録時にレーザ光が照射される側と同じ側から前記第２の半透過反射層を介して前記色素を放出する層にレーザ光を照射するものである。（・・・以下、本発明の第４の課題解決手段と称する。）【００１１】  また、本発明の光情報記録媒体の表示方法の主要な形態の一つは、
（５）前記記録層へのレーザ光照射と前記色素を放出する層へのレーザ光照射とを同時に行うものである。（・・・以下、本発明の第５の課題解決手段と称する。）【００１２】  上記第１の課題解決手段による作用は次の通りである。すなわち、第１の透光性基板の他方の面側から照射されたレーザ光のうちの一部が第２の透光性基板及び第２の半透過反射層を介して前記色素を放出する層に照射され、照射されたレーザ光を前記色素を放出する層が吸収し、色素が分解して体積が増加し色素を放出する。そして、放出された色素は前記多数の空隙を有する層の前記空隙に拡散して吸収され、該多数の空隙を有する層に発色（変色）が生じ、レーベル面側からの可視光特性（色（色相、明度、彩度）、スペクトラム、反射率、透過光、光散乱等）が変化して描画を視認することができる。
また、描画時に照射されたレーザ光のうちの一部が前記第２の半透過反射層で反射され光記録装置に返されるので、描画時のレーザ光を安定にフォーカス制御することができる。【００１３】  また、上記第２の課題解決手段による作用は次の通りである。すなわち、前記多数の空隙を有する層の上に透明の保護層が配設されているので、レーベル面（空隙層）側からの各層の劣化等を防ぐことができるとともに、該保護層を介してレーベル面側から前記空隙層に形成された描画を鮮明に視認することができる。【００１４】  また、上記第３の課題解決手段による作用は次の通りである。すなわち、前記第２の透光性基板の前記第２の半透過反射層が形成される側の面にトラッキング用の螺旋状溝が形成されているので、描画時に該螺旋状溝を位置決めの基準として、任意の位置にレーザ光を照射することができる。【００１５】  また、上記第４の課題解決手段による作用は次の通りである。すなわち、データ記録時にレーザ光が照射される側と同じ側から第２の透光性基板及び前記第２の半透過反射層を介して前記色素を放出する層にレーザ光を照射するので、第１の透光性基板側から照射されたレーザ光のうちの一部が第２の透光性基板及び前記第２の半透過反射層を介して前記色素を放出する層に照射され、照射されたレーザ光を前記色素を放出する層が吸収し、前記色素を放出する層の色素が分解して体積が増加し色素を放出する。そして、放出された色素は前記多数の空隙を有する層の前記空隙に拡散して吸収され、該多数の空隙を有する層が発色（変色）して外部から視認可能な描画が形成される。
また、描画時に照射されたレーザ光のうちの一部が前記第２の半透過反射層で反射され、光記録装置に一定の反射光が返されるので、描画時のレーザ光を安定にフォーカス制御することができる。【００１６】  また、上記第５の課題解決手段による作用は次の通りである。すなわち、前記記録層へのレーザ光照射と前記色素を放出する層へのレーザ光照射とを同時に行っても、第２の透光性基板によりデータ記録部の記録層と描画記録部の前記色素を放出する層との距離が確保されて、照射される各々のレーザ光を独立して良好に集光させることができる。
また、前記記録層へのレーザ光照射と前記色素を放出する層へのレーザ光照射とを同時に行っても、第２の透光性基板によりデータ記録部の記録層と描画記録部の前記色素を放出する層との距離が確保されているので、レーザ光照射によりデータ記録部の記録層および描画記録部の前記色素を放出する層それぞれで発せられる熱の影響を分離することができるとともに、前記色素を放出する層から放出される色素が前記記録層に拡散するのを防止することができ、各々の層に独立して記録することができる。
【発明の効果】
【００１７】  本発明の光情報記録媒体によれば、データを記録する領域を制限することなく、かつ光情報記録媒体を反転させることなくレーベル面側から視認可能な描画を行うことができる。
また、本発明の光情報記録媒体の表示方法によれば、光情報記録媒体を反転させることなくレーベル面側から視認可能な描画を行うことができる。また、描画時に照射されたレーザ光のうちの一部が前記第２の半透過反射層で反射され光記録装置に返されるので、描画時のレーザ光を安定にフォーカス制御することができる。
本発明の前記目的とそれ以外の目的、構成特徴、作用効果は、以下の説明と添付図面によって明らかとなろう。
【発明を実施するための最良の形態】
【００１８】  以下、本発明の光情報記録媒体の第１の実施形態について、図１を参照して説明する。図１は第１の実施形態の光情報記録媒体２０の内部構造を示す部分拡大断面図である。【００１９】  図１に示すように、本実施形態の光情報記録媒体２０は、データ記録部Ａと描画記録部Ｂとが接着剤層２１により貼り合わされた構造を有する。【００２０】  具体的には、第１の透光性基板１１の一方の面上に記録層１２と第１の半透過反射層１３とを有し、前記基板１１の他方の面側から前記記録層１２にレーザ光を照射することにより情報を記録可能な光情報記録媒体２０であって、前記第１の透光性基板１１の前記記録層１２と前記第１の半透過反射層１３とを有する側の面に貼り合わされた第２の透光性基板１４と、該第２の透光性基板１４上に形成された第２の半透過反射層１５と、該第２の半透過反射層１５上に形成されレーザ光を吸収して色素を放出する層１７と、該色素を放出する層１７上に形成され放出された色素を吸収する多数の空隙を備えた層１８と、を有する。【００２１】  また、本実施形態は、前記多数の空隙を備えた層１８の上に透明の保護層１９が配設されている。【００２２】  また、本実施形態は、前記第２の透光性基板１４の前記第２の半透過反射層１５が形成される側の面にトラッキング用の螺旋状溝２３が形成されている。このため、第２の透光性基板１４上に形成された第２の半透過反射層１５は、前記第２の透光性基板１４のトラッキング用の螺旋状溝２３が形成された面に沿ってほぼ均一な厚みに形成されており、前記第２の半透過反射層１５上に形成された前記色素を放出する層１７が前記第２の半透過反射層１５の表面の前記トラッキング用螺旋状溝に沿った窪みを埋めるように形成されている。そして、前記色素を放出する層１７上に形成され放出された色素を吸収する多数の空隙を備えた層１８と、該多数の空隙を備えた層１８上に形成された透明な保護層１９はいずれも平坦でそれぞれほぼ均一な厚みに形成されている。【００２３】  また本実施形態の光情報記録媒体２０は、前記第２の透光性基板１４上に第２の半透過反射層１５、レーザ光を吸収して色素を放出する層１７、放出された色素を吸収する多数の空隙を備えた層１８、透明な保護層１９があること以外は通常のＤＶＤ−Ｒ光ディスクとほぼ同様の構造である。レーベル面側からは透明な保護層１９を通して前記多数の空隙を備えた層１８を望むことができる。【００２４】  上記第１の透光性基板１１の好ましい実施形態としては次の通りである。すなわち、ポリカーボネート、アクリル樹脂等の透明樹脂で構成されており、射出成形等の方法で所定形状（光ディスクならドーナツ形状）の基板に成形されたものである。また、これに限らず、紫外線硬化樹脂を用いることもできる。【００２５】  上記記録層１２の好ましい実施形態としては次の通りである。すなわち、有機色素を含むものであり、所定の波長のレーザ光の照射によりピットが形成されデータが記録される。前記有機色素としてはフタロシアニン、シアニン、アゾ系色素が好ましい。該記録層１２には、レーザ光を吸収して色素を放出する層１７に照射されるレーザ光と同じかまたは異なる波長のレーザ光の照射により音楽や画像��コンピュータプログラム等のデータ情報を記録及び／又は再生することができる。【００２６】  上記第１の半透過反射層１３の好ましい実施形態としては次の通りである。すなわち、データの記録および／または再生用のレーザ光を反射し、描画の記録用のレーザ光を通過させるものであり、金属（例えばＡｇ，Ａｇ合金、Ａｌ等）膜もしくは屈折率の異なる酸化膜を積層させた誘電体多層膜が用いられる。
ＤＶＤのデータ記録用レーザ光の反射率および描画記録用レーザ光の透過率をより高めるため、金属膜の材質や厚みを制御した誘電体多層膜を適宜選択して用いることが好ましい。また、上記第１の半透過反射層１３と上記記録層１２は、ＤＶＤ＋ＲのＤｕａｌ規格におけるＬ０層に相当する構成で実現することもできる。【００２７】  上記接着剤層２１の好ましい実施形態としては次の通りである。すなわち、エポキシ系及びアクリル系の接着剤等が好ましい。【００２８】  上記第２の透光性基板１４の好ましい実施形態としては次の通りである。すなわち、前記第１の透光性基板１１と同じ材質を用いることができる。これによりＤＶＤ−Ｒの貼り合わせ工程を流用して第１の透光性基板１１上に作成したデータ記録部Ａと第２の透光性基板１４上に形成した描画記録部Ｂとを一体化できる。
また第２の透光性基板１４は、データ記録部Ａの記録層１２と描画記録部Ｂのレーザ光を吸収して色素を放出する層１７との距離を確保する役割を果たす。このため、例えば該第２の透光性基板１４の厚みは、レーザ光入射面である第１の透光性基板１１から保護層１９までの距離がＣＤ−Ｒ規格相当になるように調整することにより、データ記録部Ａの記録層１２および描画記録部Ｂのレーザ光を吸収して色素を放出する層１７に照射される各々のレーザ光が独立して良好に集光できる。また、レーザ光照射によりデータ記録部Ａの記録層１２および描画記録部Ｂの前記色素を放出する層１７のそれぞれで発せられる熱の影響を分離することができるとともに、前記色素を放出する層１７から放出される色素が前記記録層１２に拡散するのを防止することができる。【００２９】  上記第２の半透過反射層１５の好ましい実施形態としては次の通りである。すなわち、この層に照射されたレーザ光のうち一部を反射して光記録装置に返すことにより、安定なフォーカス制御を可能にする。また、該第２の半透過反射層１５は、この層に照射されたレーザ光のうち一部を透過させて、透過光の全てを前記色素を放出する層１７に到達させることができる。該第２の半透過反射層１５としては、上記第１の半透過反射層１３と同様、金属（例えばＡｇ，Ａｇ合金、Ａｌ等）膜もしくは屈折率の異なる酸化膜を積層させた誘電体多層膜が用いられる。該第２の半透過反射層１５は、反射光量は前記第２の半透過反射層を構成している材料と膜厚で調整できるため、安定した反射光供給が容易である。【００３０】  上記レーザ光を吸収して色素を放出する層１７の好ましい実施形態としては次の通りである。すなわち、この層に照射されたレーザ光の波長を自身の光吸収波長域に含み、レーザ光を吸収し分解して体積が増加する有機色素を含む層や有機インク等で構成される。また、上記有機色素としては、上記記録層１２と同様にフタロシアニン、シアニン、アゾ系色素が好適であるが、光吸収特性が上記記録層１２とは異なるものを用いるのが好ましい。
また、上記色素を放出する層１７としては、分解効率を増大させる目的で、異なる分子構造を有する材料を混合した単層構造、あるいは異なる分子構造を有する材料を相互に分離した多層構造とすることができる。
また、描画前の色彩色差を調整する目的で、顔料等を併用することも可能である。
また、上記レーザ光を吸収して色素を放出する層１７としては、照射されたレーザ光を吸収し、前記色素を放出する層の色素が分解して体積が増加し色素を放出する。そして、放出された色素は前記多数の空隙を有する層１８の前記空隙に拡散するものを用いることができる。
尚、本発明における色素とは、物体に色を与える成分のことを言う。【００３１】  上記放出された色素を吸収する多数の空隙を備えた層１８の好ましい実施形態としては次の通りである。すなわち、顔料を分散させたポリマー材料等（ポリビニルアルコールなど）等を用いることができ、具体的には、アルミナ等の無機顔料や芳香族有機顔料をＰＶＡ（ポリビニルアルコール）に分散させ、溶剤などの単分子が均等に分散した格子構造が組まれた後に溶剤が蒸発することにより溶剤の蒸発した跡が空隙になる材料が好ましい。該多数の空隙を備えた層１８の前記空隙の大きさは０．１〜１０μｍであることが好ましく、これにより可視光を散乱させることができるので、該空隙に前記色素を放出する層１７から放出された色素が拡散して吸収された際に描画前後のコントラストを増大させることができる。該多数の空隙を備えた層１８には、前記記録層１２にデータ記録される音楽情報、画像情報、プログラム等に対応するタイトルやインデックス等を視認可能な描画情報として記録することができる。【００３２】  上記保護層１９の好ましい実施形態としては次の通りである。すなわち、アクリル系紫外線硬化樹脂や溶剤可溶型高分子樹脂等の透明の樹脂で構成され、前記多数の空隙を備えた層１８を有するレーベル面側の劣化等を防ぐ。【００３３】  次に、本発明の光情報記録媒体の表示方法の第１の実施形態について図１を用いて説明する。図１は第１の実施形態の光情報記録媒体の表示方法を説明するための部分拡大断面図である。【００３４】  図１に示すように、本実施形態の光情報記録媒体２０は、データ記録部Ａと描画記録部Ｂとが接着剤層２１により貼り合わされた構造を有するので、描画記録用レーザ光がデータ記録用レーザ光と同じ第１の透光性基板１１の他方の面側から照射される。描画記録用レーザ光は第１の透光性基板１１、記録層１２、第１の半透過反射層１３、接着剤層２１、第２の透光性基板１４、第２の半透過反射層１５を通過してレーザ光を吸収して色素を放出する層１７で吸収され、該色素を放出する層１７の色素が分解して体積が増加し、色素を放出する。そして、放出された色素は前記多数の空隙を有する層１８の前記空隙に拡散して吸収され、該多数の空隙を有する層１８に発色もしくは変色が生じ、透明な保護層１９を通してレーベル面側から視認可能な描画として記録される。
データ記録部Ａの記録層１２に照射されるデータ記録用レーザ光と描画記録部Ｂのレーザ光を吸収して色素を放出する層１７に照射される描画記録用レーザ光は、焦点距離が異なるので、同じ波長のレーザ光を用いても、光記録装置の焦点制御によって互いに干渉しないようにすることができる。また、データ記録部Ａの記録層１２に照射されるデータ記録用レーザ光と描画記録部Ｂの前記色素を放出する層１７に照射される描画記録用レーザ光の光吸収特性（吸光度）を異ならせても良い。具体的には、前記吸光度のピーク差が７５ｎｍ、好ましくは１００ｎｍ、より好ましくは１２５ｎｍとしても良い。例えば、ＤＶＤであれば、記録用のレーザ光の波長は一般的に６６０ｎｍ前後であるから、描画記録用のレーザ光の波長は７８５ｎｍのものが使用可能である。【００３５】  また、ＤＶＤ±ＲとＣＤ−Ｒとの両方に記録できる光記録装置、所謂マルチドライブでは、ＤＶＤ±Ｒ用のレーザ光源とＣＤ−Ｒ用のレーザ光源との両方の光源を具備したものがある。このようなマルチドライブを用いる場合、両方の光源を利用することによりデータ記録部Ａの記録層１２へのデータ記録と同時に描画記録部Ｂのレーザ光を吸収して色素を放出する層１７へのレーザ照射が可能になる。このようなことは、図示省略した光記録装置を制御するソフトウェアによって実施することが可能となる。【００３６】  次に、本発明の光情報記録媒体の第２の実施形態について、図２を参照して説明する。図２は第２の実施形態の光情報記録媒体４０の内部構造を示す部分拡大断面図である。【００３７】  図２に示すように、本実施形態の光情報記録媒体４０は、データ記録部Ａと描画記録部Ｂとが接着剤層４１により貼り合わされた構造を有する点で、先の第１の実施形態と同様である。【００３８】  具体的には、第１の透光性基板３１の一方の面上に記録層３２と第１の半透過反射層３３とを有し、前記基板３１の他方の面側からレーザ光を照射することにより情報を記録可能な光情報記録媒体４０であって、前記第１の透光性基板３１の前記記録層３２と前記第１の半透過反射層３３とを有する側の面に貼り合わされた第２の透光性基板３４と、該第２の透光性基板３４上に形成された第２の半透過反射層３５と、該第２の半透過反射層３５上に形成されレーザ光を吸収して色素を放出する層３７と、該色素を放出する層３７上に形成され放出された色素を吸収する多数の空隙を備えた層３８と、を有する。【００３９】  また本実施形態は、前記多数の空隙を備えた層３８の上に透明の保護層３９が配設されている。【００４０】  本実施形態においては、前記第２の透光性基板３４の前記第２の半透過反射層３５が形成される側の面にトラッキング用の螺旋状溝を有さない点で先の第１の実施形態と異なる。
このため、第２の透光性基板３４上に形成された第２の半透過反射層３５と、該第２の半透過反射層３５上に形成されレーザ光を吸収して色素を放出する層３７と、該色素を放出する層３７上に形成され放出された色素を吸収する多数の空隙を備えた層３８と、該多数の空隙を備えた層３８上に形成された透明な保護層３９はいずれも平坦でそれぞれ均一な厚みに形成されている。その他の構成および作用効果は前記第１の実施形態と同様であるため省略する。【００４１】  尚、上記実施形態では、ＤＶＤ±Ｒディスク構造の光情報記録媒体を示したが、本発明はこれに限定するものではなく、ＣＤ−ＲやＨＤ−ＤＶＤ、ブルーレイディスクその他各種の光情報記録媒体に適用することができる。
【図面の簡単な説明】
【００４２】
【図１】本発明の光情報記録媒体の第１の実施形態の内部構造を示す部分拡大断面図である。
【図２】本発明の光情報記録媒体の第２の実施形態の内部構造を示す部分拡大断面図である。
【図３】背景技術の一例を示す部分拡大断面図である。
【符号の説明】
【００４３】１１：第１の透光性基板
１２：記録層
１３：第１の半透過反射層
１４：第２の透光性基板
１５：第２の半透過反射層
１７：色素を放出する層
１８：多数の空隙を備えた層
１９：保護層
２０：光情報記録媒体
２１：接着剤層
２２：螺旋状溝
２３：螺旋状溝
３１：第１の透光性基板
３２：記録層
３３：第１の半透過反射層
３４：第２の透光性基板
３５：第２の半透過反射層
３７：色素を放出する層
３８：多数の空隙を備えた層
３９：保護層
４０：光情報記録媒体
４１：接着剤層
４２：螺旋状溝
Ａ：データ記録部
Ｂ：描画記録部
【図１】
2008041233.tif 000003
【図２】
2008041233.tif 000004
【図３】
2008041233.tif 000005